(57)【要約】【課題】構造が簡単かつ安価で、専門職によらず簡単に設置が可能でありながら、地震による所定以上の振動で確実に擬似漏電を起こし漏電遮断器を作動させることができる感震電源遮断装置を提供する。【解決手段】導電性の金属からなる第１板状部材（１０）と、第１板状部材（１０）の上方に所定の隙間を設けて配置した導電性の金属からなる第２板状部材（２０）と、第１板状部材（１０）上に載置されて第１板状部材（１０）と第２板状部材（２０）との間に配置される導電性の金属からなる接触用部材（３５）と、接触用部材（３５）と一体に設けられた錘部材（３６）と、を備え、外部からの所定以上の振動の印加によって錘部材（３６）が揺動することで、接触用部材（３５）が第１板状部材（１０）と第２板状部材（２０）との両方に接触してこれら第１板状部材（１０）と第２板状部材（２０）とが導通するように構成した。【選択図】図１
2019121510.tif 000002
【特許請求の範囲】
【請求項１】
導電性の金属からなる第１板状部材と、
前記第１板状部材の上方に所定の隙間を設けて配置した導電性の金属からなる第２板状部材と、
前記第１板状部材上に載置されて前記第１板状部材と前記第２板状部材との間に配置される導電性の金属からなる接触用部材と、
前記接触用部材と一体に設けられた錘部材と、を備え、
外部からの所定以上の振動の印加によって前記錘部材が揺動することで、前記接触用部材が前記第１板状部材と前記第２板状部材との両方に接触してこれら前記第１板状部材と前記第２板状部材とが導通するように構成した
ことを特徴とする感震電源遮断装置。
【請求項２】
前記接触用部材と前記錘部材とは棒状の連結部材で一体に連結されており、
前記第１板状部材には、前記連結部材が貫通する貫通部が形成されており、前記接触用部材は前記第１板状部材の前記貫通部の周囲に載置されており、
前記錘部材は、前記連結部材を介して前記接触用部材から下方へ吊り下げられた状態で支持されている
ことを特徴とする請求項１に記載の感震電源遮断装置。
【請求項３】
前記第１板状部材と前記第２板状部材には、ベース部材に固定する固定用のネジを取り付ける取付孔が設けられており、
前記第１板状部材の取付孔と前記第２板状部材の取付孔の少なくとも一方は、上下方向に延びる長穴形状に形成されている
ことを特徴とする請求項１又は２に記載の感震電源遮断装置。
【請求項４】
前記接触用部材は、導電性の金属からなる接触用板状部材と、前記接触用板状部材の下面に取り付けられて前記第１板状部材上に載置される円柱形状の台座部材とからなる
ことを特徴とする請求項１乃至３のいずれか１項に記載の感震電源遮断装置。
【請求項５】
前記第１板状部材と前記第２板状部材のいずれか一方をコンセントの非接地側の端子と電気的に接続する第１接続部と、
前記第１板状部材と前記第２板状部材のいずれか他方を接地されたアース端子に接続する第２接続部と、を備える
ことを特徴とする請求項１乃至４のいずれか１項に記載の感震電源遮断装置。
【請求項６】
前記感震電源遮断装置は、コンセントに電気的に接続するための差込プラグを備え、
前記差込プラグの接地側の差込端子の栓刃は、絶縁性を有する材質で構成され、非接地側の差込端子の栓刃は、導電性を有する材質で構成されており、
前記非接地側の差込端子の栓刃は、第１接続部である
ことを特徴とする請求項５に記載の感震電源遮断装置。
【請求項７】
前記差込プラグの前記接地側の差込端子の栓刃と前記非接地側の差込端子の栓刃とは、互いが異なる寸法に形成されている
ことを特徴とする請求項６に記載の感震電源遮断装置。
【請求項８】
前記第１板状部材又は前記第２板状部材と前記第１接続部との間の配線には、電気抵抗が設置されている
ことを特徴とする請求項５乃至７のいずれか１項に記載の感震電源遮断装置。
【発明の詳細な説明】
【技術分野】
【０００１】
本発明は、地震による振動で擬似漏電を起こし分電盤内にある漏電遮断器を作動させて電源を遮断することができる感震電源遮断装置に関する。
【背景技術】
【０００２】
地震の発生時の電気火災防止策として、従来、例えば特許文献１に示すように、主電源開閉器（電源ブレーカー）のレバーを所定の震度で作動させる錘落球方式のブレーカー遮断装置が知られている。しかしながら、この種のブレーカー遮断装置は、主電源開閉器が格納されている分電盤の構造や設置場所によっては、装置の取り付けができない場合がある。また、レバーの動作に硬さなどの動作上のバラつきがあることで地震発生時に確実に作動するか否かの信頼性に欠けるという問題がある。
【０００３】
また、地震の発生時の電気火災防止策のための他の装置として、主電源開閉器と併設され電気配線や電気器具で漏電が発生したときに瞬時に全電源を遮断する電気安全装置の漏電遮断器が一般的に設置されている。さらに、漏電遮断器に感震機能を付加して地震時に電源を遮断する分電制御盤や付属装置が知られている。
【０００４】
上記のような電気安全装置の漏電遮断器に感震機能を付加した装置は、特許文献１に記載された錘落球方式のブレーカー遮断装置と比べて、地震発生時の作動の確実性がより高いと考えられる。しかしながら、これらの装置は、感震センサーやスイッチング回路などを用いているため装置が高価であることや、専門職の電気工事を必要とするため設置コストが嵩んでしまうことなどの理由により、あまり普及が進んでいないのが現状である。
【先行技術文献】
【特許文献】
【０００５】
【特許文献１】特開２００４−２９６４２１号公報
【発明の概要】
【発明が解決しようとする課題】
【０００６】
本発明は上記の点に鑑みてなされたものであり、その目的は、構造が簡単かつ安価であり、専門職によらず簡単に設置が可能でありながら、地震による所定以上の振動で確実に擬似漏電を起こし漏電遮断器を作動させることができる感震電源遮断装置を提供することにある。
【課題を解決するための手段】
【０００７】
上記課題を解決するため、本発明にかかる感震電源遮断装置（１）は、導電性の金属からなる第１板状部材（１０）と、前記第１板状部材（１０）の上方に所定の隙間を設けて配置した導電性の金属からなる第２板状部材（２０）と、前記第１板状部材（１０）上に載置されて前記第１板状部材（１０）と前記第２板状部材（２０）との間に配置される導電性の金属からなる接触用部材（３５）と、前記接触用部材（３５）と一体に設けられた錘部材（３６）と、を備え、外部からの所定以上の振動の印加によって前記錘部材（３６）が揺動することで、前記接触用部材（３５）が前記第１板状部材（１０）と前記第２板状部材（２０）との両方に接触してこれら前記第１板状部材（１０）と前記第２板状部材（２０）とが導通するように構成したことを特徴とする。
【０００８】
本発明にかかる感震電源遮断装置によれば、接触用部材と錘部材とからなる感震振動体が平常時は安定（静止）しているが、地震が発生してその揺れが所定の震度に達したときには、感震振動体が地震による揺れを感知して錘部材が揺動することで接触用部材が傾き第１板状部材と第２板状部材との両方に接触してこれらが導通する。これにより、所定の震度の揺れで擬似漏電を起こすことができ、漏電遮断器を作動させて電源を遮断することができる。したがって、簡単かつ安価な構造の感震電源遮断装置を構成することができる。
【０００９】
地震による揺れは、初期に起きる縦揺れＰ波と続いて起こる横揺れＳ波があるが、本発明の感震電源遮断装置が備える感震振動体は、これら縦揺れＰ波と横揺れＳ波の両方の揺れに対して作動するように構成できる。したがって、縦揺れＰ波と横揺れＳ波のいずれの揺れに対しても擬似漏電を起こして漏電遮断器を作動させることができる。これにより、地震発生後の電気火災をより確実に防止できると共に、再通電時の復電火災もより確実に防止できる。
【００１０】
このように、本発明の感震電源遮断装置は、危険と判断される所定以上の震度の地震が発生したときに振動する感震振動体によって、電気回路で接地側のアース端子との間に擬似漏電を起こし、分電盤内にある漏電遮断器を作動させて建物内の全ての電源を遮断することができる。これにより、火災の原因となる電気配線や電気器具の損傷等での出火や地震後の再送電による復旧で発生する火災を未然に防止することができる。
【００１１】
また、本発明の感震電源遮断装置では、前記接触用部材（３５）と前記錘部材（３６）とは棒状の連結部材（３７）で一体に連結されており、前記第１板状部材（１０）には、前記連結部材（３７）が貫通する貫通部（１１）が形成されており、前記接触用部材（３５）は前記第１板状部材（１０）の前記貫通部（１１）の周囲に載置されており、前記錘部材（３６）は、前記連結部材（３７）を介して前記接触用部材（３５）から下方へ吊り下げられた状態で支持されていてもよい。
【００１２】
この構成によれば、外部からの所定以上の振動の印加によって錘部材あるいは感震振動体を容易にかつ確実に揺動させることができるので、所定以上の震度の地震で感震電源遮断装置を確実に作動させることができる。
【００１３】
また、本発明の感震電源遮断装置では、前記第１板状部材（１０）と前記第２板状部材（２０）には、ベース部材（５）に固定する固定用のネジ（１２，２２）を取り付ける取付孔（１３，２３）が設けられており、前記第１板状部材（１０）の取付孔（１３）と前記第２板状部材（２０）の取付孔（２３）の少なくとも一方は、上下方向に延びる長穴形状に形成されていてもよい。
【００１４】
この構成によれば、第１板状部材と前記第２板状部材を固定する固定用のネジの取付孔対する取付位置を調節することで、第１板状部材と第２板状部材との間隔を調整することができる。したがって、感震電源遮断装置が作動する地震の揺れの大きさ（震度）を所望の大きさに設定することが容易に行えるようになる。
【００１５】
また、本発明の感震電源遮断装置では、前記接触用部材（３５）は、導電性の金属からなる接触用板状部材（３１）と、前記接触用板状部材（３１）の下面に取り付けられて前記第１板状部材（１０）上に載置される円柱形状の台座部材（３２）とからなる構成であってもよい。
【００１６】
この構成によれば、台座部材の外形寸法を調整することで、錘部材の揺動を調節することができる。したがって、感震電源遮断装置が作動させる地震の揺れの大きさ（震度）を所望の大きさに設定することが容易に行えるようになる。
【００１７】
また、本発明の感震電源遮断装置では、前記第１板状部材（１０）と前記第２板状部材（２０）のいずれか一方をコンセント（１３０）の非接地側の端子（１４２）と電気的に接続する第１接続部（４２）と、前記第１板状部材（１０）と前記第２板状部材（２０）のいずれか他方を接地されたアース端子（１３１）に接続する第２接続部（５０）と、を備えてもよい。
【００１８】
また、前記感震電源遮断装置（１）は、コンセント（１３１）に電気的に接続するための差込プラグ（４０）を備え、前記差込プラグ（４０）の接地側の差込端子の栓刃（４１）は、絶縁性を有する材質で構成され、非接地側の差込端子の栓刃（４２）は、導電性を有する材質で構成されており、前記非接地側の差込端子の栓刃（４２）は、第１接続部（４２）であってもよい。
【００１９】
また、本発明の感震電源遮断装置では、前記差込プラグ（４０）の前記接地側の差込端子の栓刃（４１）と前記非接地側の差込端子の栓刃（４２）とは、互いが異なる寸法に形成されていてもよい。
【００２０】
アース付コンセントの栓刃を差し込む差込孔は、非接地側と接地側とが異なる寸法（幅寸法）である。そのため、上記構成のように、差込プラグの接地側の栓刃と非接地側の栓刃との互いの幅寸法を異なる寸法にしておけば、アース付コンセントに差込プラグを差し込む際、接地側の差込端子の栓刃と非接地側の差込端子の栓刃とを逆に差し込んでしまうことを防止できる。
【００２１】
また、本発明の感震電源遮断装置では、前記第１板状部材（１０）又は前記第２板状部材（２０）と前記第１接続部（５０）との間の配線には、電気抵抗（７０）が設置されていてもよい。
【００２２】
この構成によれば、感震電源遮断装置の作動により漏電遮断器で電源が遮断された場合、その後に漏電遮断器を復帰させるなどして電源が回復したときに、コンセントの非接地側極端子から配線を介して感震電源遮断装置側に大きな電流が流れることを防止できる。したがって、電源が回復したときに、差込プラグや感震電源遮断装置の各部からスパーク（火花）が発生することを回避できる。
【発明の効果】
【００２３】
本発明によれば、構造が簡単で、地震発生時の所定以上の揺れによって漏電遮断器を作動させて電源を遮断することができる感震電源遮断装置を安価に提供できる。
【図面の簡単な説明】
【００２４】
【図１】本発明の一実施形態に係る感震電源遮断装置の構成を示す図である。
【図２】感震電源遮断装置を取り付けた建物内の電気配線の構成を示す概略の回路図である。
【図３】感震電源遮断装置が備える差込プラグとそれを取り付けるアース付きコンセントを示す図である。
【図４】感震電源遮断装置が地震による縦揺れで作動する場合を説明する図である。
【図５】感震電源遮断装置が地震による横揺れで作動する場合を説明する図である。
【発明を実施するための形態】
【００２５】
以下、添付図面を参照して本発明の実施形態を詳細に説明する。図１は、本発明の一実施形態に係る感震電源遮断装置１の内部構造を示す図で、（ａ）は、正面図、（ｂ）は、平面図、（ｃ）は、側面図である。図２は、感震電源遮断装置１を取り付けた建物内の電気配線の構成を示す概略の回路図である。図３は、感震電源遮断装置１が備える差込プラグ４０と該差込プラグ４０を取り付けるアース付きコンセント１３０を示す図である。
【００２６】
図１に示すように、感震電源遮断装置１の本体部２は、導電性の金属平板からなる載置用金属板（第１板状部材：下板）１０と、載置用金属板１０の上方に所定の隙間を設けて平行に配置した導電性の金属平板からなる通電用金属板（第２板状部材：上板）２０と、載置用金属板１０の上面に載置されて載置用金属板１０と通電用金属板２０との間（上下の隙間）に配置される接触用部材３５と、接触用部材３５と一体に設けられた錘部材３６とを備えて構成されている。
【００２７】
載置用金属板１０と通電用金属板２０はそれぞれ、感震電源遮断装置１の本体部２が備える取付板（ベース部材）５の前面にネジ１２，２２の締結で固定されている。ここで、載置用金属板１０と通電用金属板２０には、ネジ１２，２２を取り付けるための取付孔１３，２３が形成されている。そして、通電用金属板２０の取付孔２３は、上下方向に延びる長穴形状に形成されている。この構成によれば、通電用金属板２０を固定するネジ２２の取付孔２３に対する取付位置を調節することで、載置用金属板１０と通電用金属板２０との間隔を調整することができる。したがって、感震電源遮断装置１が作動する揺れの大きさを所望の大きさに設定することが容易に行えるようになる。なお、ここでは、通電用金属板２０の取付孔２３を長穴形状に形成した場合を示したが、これ以外にも、載置用金属板１０の取付孔１３を長穴形状に形成してもよいし、通電用金属板２０の取付孔２３と載置用金属板１０の取付孔１３の両方を長穴形状に形成してもよい。
【００２８】
また、取付板５が建物内の壁面Ｗにネジ７の締結で固定されることで、感震電源遮断装置１の本体部２が建物内の壁面Ｗ、詳細には、図３に示すようにアース付きコンセント１３０の近傍の壁面Ｗに取付固定されるようになっている。なお、感震電源遮断装置１の本体部２の壁面Ｗへの固定は、ネジ７の締結以外にも、両面テープによる貼付固定などでもよい。
【００２９】
接触用部材３５は、金属製の円形平板状の接触用金属板３１と、接触用金属板３１の下面に取り付けられて載置用金属板１０の上面に載置される円柱形状の台座部材３２とからなる。さらに、接触用部材３５の台座部材３２と錘部材３６とは棒状の連結部材３７で一体に連結されている。連結部材３７は、一例としてネジ軸などで構成することができ、台座部材３２や錘部材３６に螺合させて取り付けることができる。上記の接触用部材３５（接触用金属板３１及び台座部材３２）と連結部材３７と錘部材３６とで感震振動体３０が構成されている。載置用金属板１０には連結部材３７が貫通する円形の貫通穴（貫通部）１１が形成されており、接触用部材３５（台座部材３２）は載置用金属板１０の上面における貫通部１１の周囲に載置されている。貫通穴１１はその内径寸法が連結部材３７の直径（太さ）よりも若干大きな寸法に設定されており、貫通穴１１の内周と連結部材３７の外周との間には隙間が形成されている。これにより、連結部材３７及び錘部材３６（感震振動体３０）の揺動が可能となっている。そして、錘部材３６は、連結部材３７を介して接触用部材３５（台座部材３２）から下方へ吊り下げられた状態で支持されている。
【００３０】
ここで、台座部材３２の外形寸法（円柱状に形成された台座部材３２の径寸法（太さ））や底部の形状を調整することで、錘部材３６の揺動の程度を任意に調節することができる。したがって、感震電源遮断装置１を作動させる揺れの大きさを所望の大きさに設定することが容易に行えるようになる。すなわち、本実施形態の感震電源遮断装置１では、台座部材３２の径寸法の調整と、載置用金属板１０と通電用金属板２０との間隔寸法の調整とによって、感震電源遮断装置１が作動する揺れの大きさ（震度）を任意の大きさに設定することが可能となる。
【００３１】
上記の載置用金属板１０、通電用金属板２０、及び感震振動体３０の接触用金属板３１、台座部材３２、軸部材３７を構成する導電性金属の材質は、好ましくは鉄や砲金などであるが、導電性を有する金属であれば特に限定されない。なお、導電性能を阻害する錆が発生しないような材質、メッキなどの錆防止表面処理が施されたもので経年劣化が少なく、地震の振動が印加された場合に変形や破損が起こらない程度の強度を持つものが望ましい。
【００３２】
一方、感震振動体３０の錘部材３６の材質は、導電性に限定されず非導電性の材質であってもよい。また、錘部材の形状は、円柱形状には限らず、角型、球形など他の形状であっても構わない。
【００３３】
次に、感震電源遮断装置１を取り付けた建物内の電気配線の構成を説明する。図２に示すように、建物内に設置した分電盤（配電盤）１１０には、一つの主幹ブレーカー１１１と複数の分岐ブレーカー１１２と、主幹ブレーカー１１１と分岐ブレーカー１１２との間に設けた漏電ブレーカー（漏電遮断器）１１５とが配設されている。主幹ブレーカー１１１は、電路を開閉する接点と接点を開閉制御する電子回路（共に図示略）とを内蔵した回路遮断器であって、電源線１２０に接続されている。分岐ブレーカー１１２は、配線１１３を介して主幹ブレーカー１１１に接続されるとともに、コンセント１３０を介して複数の負荷機器（図示略）に接続されるようになっている。漏電ブレーカー１１５は、主幹ブレーカー１１１と分岐ブレーカー１１２との間の配線１１３上に設けられており、下流側での漏電を検知した場合に即座に電源を遮断するようになっている。
【００３４】
図３に示すように、感震電源遮断装置１は、上記構成の本体部２と、本体部２から導出された配線６１，６２の先端に取り付けられた差込プラグ４０及びアースプラグ５０とを備えている。差込プラグ４０は、アース付きコンセント１３０に差し込まれ、アースプラグ５０は、アース付きコンセント１３０の接地されたアース端子１３１に取り付けられる。なお、図示は省略するが、建物のコンセントが接地されたアース端子を備えたアース付きコンセントでない場合には、感震電源遮断装置１のアースプラグ５０を別途設置されたアース端子に接続してもよいし、その他の方法で接地してもよい。
【００３５】
また、図３に示すように、感震電源遮断装置１とアース付コンセント１３０を電気的に接続する差込プラグ４０が備える接地側の差込端子の栓刃４１は、電気的に絶縁性を有する樹脂（合成樹脂材）などの材料で構成されており、非接地側の差込端子の栓刃４２は導電性の金属などの材料で構成されている。なお、接地側の差込端子の栓刃４１は、金属製の材料で構成しその表面に絶縁性の塗料を塗布した構成や、表面に絶縁性のシートを貼付した構成であってもよい。
【００３６】
そして、感震電源遮断装置１の載置用金属板１０は、差込プラグ４０の非接地側の差込端子の栓刃４２を介してアース付コンセント１３０の非接地側極端子１４２に接続され、通電用金属板２０は、アースプラグ５０を介してアース付コンセント１３０のアース端子１３１に接続される。また、アース付コンセント１３０の接地側極端子（差込穴）１４１に差し込まれる接地側の差込端子の栓刃４１は、電気的にどこにも接続されておらず、いわゆるダミーの端子となっている。
【００３７】
また、接地側の差込端子の栓刃４１と非接地側の差込端子の栓刃４２とは互いの外形寸法が異なる寸法に形成されている。詳細には、接地側の差込端子の栓刃４１と非接地側の差込端子の栓刃４２の寸法をそれぞれアース付きコンセント１３０の一方の差込穴１４１の寸法と他方の差込穴１４２の寸法とに合わせた寸法（幅寸法）に形成している。アース付コンセント１３０の差込穴は、接地側の差込穴１４１と非接地側の差込穴１４２とで長さ寸法が異なっているため、アース付コンセント１３０に差込プラグ４０を差し込む際、接地側の差込端子の栓刃４１と非接地側の差込端子の栓刃４２とを逆に差し込んでしまうことを防止できる。なお、アース付コンセントに限らず、コンセントの二つの差込孔の形状が互いに異なっているのは、製品規格で決められていることによるものである。
【００３８】
また、図２に示すように、差込プラグ４０内の非接地側の差込端子の栓刃４２から載置用金属板１０に繋がる配線６１上には、抵抗器（電気抵抗）７０が取り付けられている。この抵抗器７０は、感震電源遮断装置１の作動により漏電ブレーカー１１５で電源が遮断された場合、その後に漏電ブレーカー１１５を復帰させるなどして電源が回復したときに、コンセント１３０の非接地側極端子１４２から配線６１を介して載置用金属板１０側に大きな電流が流れることを防止するためのものである。これにより、電源が回復したときに、感震電源遮断装置１の各部からスパーク（火花）が発生することを回避することができる。なお、抵抗器７０は、配線６１上であればその取り付け位置は限定されないが、一例として差込プラグ４０内に取り付けることができる。
【００３９】
次に、上記構成の感震電源遮断装置１の動作について説明する。図４は、感震電源遮断装置１が地震による縦揺れで作動する場合を説明する図、図５は、感震電源遮断装置１が地震による横揺れで作動する場合を説明する図である。これらの図に示すように、感震電源遮断装置１は、地震による縦揺れ（図４）と横揺れ（図５）のいずれの揺れが主の場合においても感震振動体３０が揺動し、載置用金属板１０と通電用金属板２０の両方に接触用金属板３１、台座部材３２、軸部材３８のいずれかが当接することで、これら載置用金属板１０と接触用金属板３１とを導通（通電）させることができる。これにより、感震振動体３０が地震の縦揺れＰ波又は横揺れＳ波で揺動した場合、感震振動体３０の載置用金属板１０と接触用金属板３１とが接触して通電し、擬似漏電を起こすことができる。
【００４０】
すなわち、平常時は感震振動体３０が安定（静止）しているが、地震が発生してその揺れが所定の震度に相当する揺れに達したとき（一例として震度５程度の揺れに達したとき）には、感震振動体３０が縦揺れ又は横揺れ、あるいはこれら縦揺れと横揺れが組み合わさった揺れを感知して擬似漏電を起こすことができる。これにより、分電盤１１０の漏電ブレーカー（漏電遮断器）１１５を作動させて建物内の全ての電源を即座に遮断できる。
【００４１】
以上説明したように、本実施形態の感震電源遮断装置１によれば、導電性の金属からなる載置用金属板１０と、載置用金属板１０の上方に所定の隙間を設けて配置した導電性の金属からなる通電用金属板２０と、載置用金属板１０上に載置されて載置用金属板１０と通電用金属板２０との間に配置される導電性の金属からなる接触用部材３５と、接触用部材３５と一体に設けられた錘部材３６とを備え、外部からの所定以上の振動の印加によって錘部材３６が揺動することで、接触用部材３５が載置用金属板１０と通電用金属板２０との両方に接触してこれら載置用金属板１０と通電用金属板２０とが導通するように構成したことを特徴とする。
【００４２】
本実施形態の感震電源遮断装置１によれば、接触用部材３５と錘部材３６とからなる感震振動体３０が平常時は安定（静止）しているが、地震が発生してその揺れが所定の震度に達したときには、感震振動体３０が地震による揺れを感知して錘部材３６が揺動することで接触用部材３５が傾き載置用金属板１０と通電用金属板２０との両方に接触してこれらが導通する。これにより、所定の震度の揺れで擬似漏電を起こすことができ、漏電ブレーカー１１５を作動させて電源を遮断することができる。したがって、簡単かつ安価な構造の感震電源遮断装置を構成することができる。
【００４３】
既述のように、地震による揺れは、初期に起きる縦揺れＰ波と続いて起こる横揺れＳ波があるが、感震電源遮断装置１が備える感震振動体３０は、これら縦揺れＰ波と横揺れＳ波の両方の揺れに対して作動する。したがって、縦揺れＰ波と横揺れＳ波のいずれの揺れに対しても擬似漏電を起こして漏電ブレーカー１１５を作動させることができる。これにより、地震発生後の電気火災をより確実に防止できると共に、再通電時の復電火災もより確実に防止できる。
【００４４】
このように、本実施形態の感震電源遮断装置１は、危険である判断される所定以上の震度の地震が発生したときに振動する感震振動体３０によって、電気回路で接地側のアース端子との間に擬似漏電を起こし、分電盤１１０内にある漏電ブレーカー１１５を作動させて建物内の全ての電源を遮断することができる。これにより、火災の原因となる電気配線や電気器具の損傷等での出火や地震後の再送電による復旧で発生する火災を未然に防止することができる。
【００４５】
また、本実施形態の感震電源遮断装置１では、接触用部材３５と錘部材３６とは棒状の連結部材３７で一体に連結されており、載置用金属板１０には、連結部材３７が貫通する貫通部１１が形成されており、接触用部材３５は載置用金属板１０の貫通部１１の周囲に載置されており、錘部材３６は、連結部材３７を介して接触用部材３５から下方へ吊り下げられた状態で支持されている。
【００４６】
この構成によれば、外部からの所定以上の振動の印加によって錘部材３６を容易にかつ確実に揺動させることができるので、所定以上の震度の地震で感震電源遮断装置１を確実に作動させることができる。
【００４７】
また、本実施形態の感震電源遮断装置１では、載置用金属板１０と通電用金属板２０には、取付板（ベース部材）５に固定する固定用のネジ１２，２２を取り付ける取付孔１３，２３が設けられており、通電用金属板２０の取付孔２３は、上下方向に延びる長穴形状に形成されている。
【００４８】
この構成によれば、通電用金属板２０を固定する固定用のネジ２２の取付孔２３に対する取付位置を調節することで、載置用金属板１０と通電用金属板２０との間隔を調整することができる。したがって、感震電源遮断装置１が作動する地震の揺れの大きさ（震度）を所望の大きさに設定することが容易に行えるようになる。
【００４９】
また、本実施形態の感震電源遮断装置１では、接触用部材３５は、導電性の金属からなる接触用金属板３１と、接触用金属板３１の下面に取り付けられて載置用金属板１０上に載置される円柱形状の台座部材３２とからなる構成である。
【００５０】
この構成によれば、台座部材３２の外形寸法を調整することで、錘部材３６の揺動を調節することができる。したがって、感震電源遮断装置１が作動する地震の揺れの大きさ（震度）を所望の大きさに設定することが容易に行えるようになる。
【００５１】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態では、載置用金属板１０を差込プラグ４０の非接地側の差込端子の栓刃４２に接続し、通電用金属板２０をアースプラグ５０に接続した場合を説明したが、これに代えて、図示は省略するが、載置用金属板１０をアースプラグ５０に接続し、通電用金属板２０を差込プラグ４０の非接地側の差込端子の栓刃４２に接続してもよい。
【符号の説明】
【００５２】
１ 感震電源遮断装置
２ 本体部
５ 取付板（ベース部材）
７ ネジ
１０ 載置用金属板（第１板状部材）
１１ 貫通孔（貫通部）
１２，２２ ネジ
１３，２３ 取付孔
２０ 通電用金属板（第２板状部材）
３０ 感震振動体
３１ 接触用金属板（接触用板状部材）
３２ 台座部材
３５ 接触用部材
３６ 錘部材
３７ 連結部材
４０ 差込プラグ
４１ 接地側の差込端子の栓刃
４２ 非接地側の差込端子の栓刃（第１接続部）
５０ アースプラグ（第２接続部）
６１，６２ 配線
７０ 抵抗器（電気抵抗）
１１０ 分電盤
１１１ 主幹ブレーカー
１１２ 分岐ブレーカー
１１３ 配線
１１５ 漏電ブレーカー（漏電遮断器）
１２０ 電源線
１３０ アース付コンセント
１３１ アース端子
１４１ 差込穴（接地側極端子）
１４２ 差込穴（非接地側極端子）
Ｗ 壁面
【図１】
2019121510.tif 000003
【図２】
2019121510.tif 000004
【図３】
2019121510.tif 000005
【図４】
2019121510.tif 000006
【図５】
2019121510.tif 000007